(57)【要約】【課題】  フレキシブルコンテナバッグ等の袋体のトラックからの荷卸し、解体、空の袋体の移送を、単一のアタッチメントで行うことのできる切断付アタッチメントを提供すること。【解決手段】  ブーム１の先端に着脱可能に接続される切断刃付アタッチメント２であって、ブーム１の先端に着脱可能な着脱部２ａを有する本体２’と、本体に設けられ、支軸５を中心として閉鎖方向及び開放方向に回動可能に設けられ、閉鎖時に先端部が近接状態又は閉鎖状態となり、被把持部材を把持可能な一対の把持用アーム２ｂ，２ｂ’とを有し、一対の把持用アーム２ｂ，２ｂ’の各々の外側面に、各把持用アームの先端部から着脱部２ａの方向に向かって、直線状の切断刃７，７’を設けた。【選択図】  図４
2017121963.tif 000002
【特許請求の範囲】
【請求項１】
ブームの先端に着脱可能に接続される切断刃付アタッチメントであって、
上記ブームの先端に着脱可能な着脱部を有する本体と、
上記本体に設けられ、支軸を中心として閉鎖方向及び開放方向に回動可能に設けられ、閉鎖時に先端部が近接状態又は閉鎖状態となり、被把持部材を把持可能な一対の把持用アームとを有し、
上記一対の把持用アームの各々の外側面に、各把持用アームの先端部から上記着脱部の方向に向かって、直線状の切断刃が設けられているものである切断刃付アタッチメント。
【請求項２】
上記両切断刃は、通電することで加熱されるものである請求項１記載の切断刃付アタッチメント。
【請求項３】
請求項１又は２記載の切断刃付アタッチメントを使用した袋体の解体システムであって、
少なくとも下層部分と上層部分からなる建屋が設けられ、上記上層部分に袋体の搬送車の停車位置と、上記上層部分の床面の一部に上記下層部分に貫通する格子エリアと、破袋された使用済の袋体の収集部とが設けられ、
上記格子エリアに対応する上記下層部分には該格子エリアを通過して落下してくる内容物を受け止めて、所定箇所に搬送するベルトコンベア装置が配置され、
上記上層部分に上記切断刃付アタッチメントをブームの先端に装着した移動可能な重機が配置され、
上記停車位置に停車した上記搬送車の袋体は、上記重機により上記切断刃付アタッチメントにて把持して上記格子エリアに搬送可能に構成され、
上記格子エリア上に移送された上記袋体は上記切断刃付アタッチメントの上記切断刃により破袋され、内容物は上記格子エリアから上記一層部分の上記ベルトコンベア装置に落下し得るように構成され、
上記使用済の袋体は上記重機により上記切断刃付アタッチメントにて把持して上記収集部に移送し得るように構成された袋体の解体システム。
【請求項４】
請求項１又は２記載の切断刃付アタッチメントを使用した袋体の解体方法であって、
少なくとも下層部分と上層部分からなる建屋が設けられ、上記上層部分に袋体の搬送車の停車位置と、上記上層部分の床面の一部に上記下層部分に貫通する格子エリアと、破袋された使用済袋の収集部とが設けられ、
上記格子エリアに対応する上記下層部分には該格子エリアを通過して落下してくる内容物を受け止めて、所定箇所に搬送するベルトコンベア装置が配置され、
上記上層部分に上記切断刃付アタッチメントをブームの先端に装着した移動可能な重機を配置し、
上記停車位置に停車した上記搬送車の袋体を、上記重機により上記切断刃付アタッチメントにて把持して上記格子エリア上に搬送し、
上記格子エリア上に移送した上記袋体は上記切断刃付アタッチメントの上記切断刃により破袋して、内容物を上記格子エリアから上記一層部分の上記ベルトコンベア装置に落下させ、
上記格子エリア上の使用済の袋体は上記重機により上記切断刃付アタッチメントにて
把持して上記収集部に移送するようにした袋体の解体方法。
【発明の詳細な説明】
【技術分野】
【０００１】
本発明は、例えば、汚染土壌、粉粒体、瓦礫等を収納するフレキシブルコンテナバッグ等の袋体を解袋するための切断刃付アタッチメント、及びそれを使用したフレキシブルコンテナバッグ等の解体システム及び解体方法に関するものである。
【背景技術】
【０００２】
フレキシブルコンテナバッグの解体は、特許文献１に示すように、フレキシブルコンテナバッグを横行式ホイストによって吊り上げ、解体用機体内に移行し、円形開封刃上に下されることにより、当該円形開封刃、又は、当該円形開封刃及び縦型開封刃によってフレキシブルコンテナバッグの底部、又は底部及び側部を開封し、内容物を下方のホッパーに落下させる構成のものが知られている。
【先行技術文献】
【特許文献】
【０００３】
【特許文献１】特開２０１４−１９３７５１号公報
【発明の概要】
【発明が解決しようとする課題】
【０００４】
ところで、上記従来の装置によると、フレキシブルコンテナバッグを一体ずつ横行きホイストによって吊り下げて移動し、当該コンテナバッグの１体ずつを、解体用機体内で解袋処理する構成のものであるため、多数のフレキシブルコンテナバッグの解袋作業を行う場合は、処理に長時間を要するとの課題があった。
【０００５】
近年、災害時の瓦礫等を収納した多数のフレキシブルコンテナバッグの解袋作業を迅速に行う必要性が増していることから、多量のフレキシブルコンテナバッグの解袋作業を効率的に行う装置の実現が望まれている。
【０００６】
本発明は、上記従来の課題に鑑みてなされたものであり、フレキシブルコンテナバッグ等の袋体のトラックからの荷卸し、解体、空のバッグの回収作業等を、単一のアタッチメントで行うことのできる切断付アタッチメントを提供することを目的とする。
【０００７】
また、本発明は、上記切断刃付アタッチメントを使用したフレキシブルコンテナバッグの解体システム及び解体方法を提供することを目的とする。
【課題を解決するための手段】
【０００８】
上記の目的を達成するため本発明は、
第１に、ブームの先端に着脱可能に接続される切断刃付アタッチメントであって、上記ブームの先端に着脱可能な着脱部を有する本体と、上記本体に設けられ、支軸を中心として閉鎖方向及び開放方向に回動可能に設けられ、閉鎖時に先端部が近接状態又は閉鎖状態となり、被把持部材を把持可能な一対の把持用アームとを有し、上記一対の把持用アームの各々の外側面に、各把持用アームの先端部から上記着脱部の方向に向かって、直線状の切断刃が設けられているものである切断刃付アタッチメントにより構成される。
【０００９】
上記被把持部材は、例えばフレキシブルコンテナバッグ等の袋体である。このように構成すると、ブーム先端の把持用アームによりトラック等の荷台のフレキシブルコンテナバッグ等を把持して所定位置に移送することができる。さらに、把持用アームを閉じて例えば廃棄物等を収納したフレキシブルコンテナバッグに突き刺して、内部で上記把持用アームを開くことで、上記切断刃にて上記コンテナを破袋することができる。また、内容物を出して空になったフレキシブルコンテナバッグを把時用アームにて把持して所定場所に移送することができる。このように、単一の切断刃付アタッチメントにより、袋体の移送、破袋、空の袋体の移送の各作業を行うことができる。
【００１０】
第２に、上記両切断刃は、通電することで加熱されるものである上記第１記載の切断刃付アタッチメントにより構成される。
【００１１】
このように厚生すると、切断刃が加熱されているため、例えば樹脂製の袋体の外皮を切断刃の熱により溶かしながら破袋することができ、より円滑に袋体の破袋作業を行うことができる。
【００１２】
第３に、上記第１又は２記載の切断刃付アタッチメントを使用した袋体の解体システムであって、少なくとも下層部分と上層部分からなる建屋が設けられ、上記上層部分に袋体の搬送車の停車位置と、上記上層部分の床面の一部に上記下層部分に貫通する格子エリアと、破袋された使用済の袋体の収集部とが設けられ、上記格子エリアに対応する上記下層部分には該格子エリアを通過して落下してくる内容物を受け止めて、所定箇所に搬送するベルトコンベア装置が配置され、上記上層部分に上記切断刃付アタッチメントをブームの先端に装着した移動可能な重機が配置され、上記停車位置に停車した上記搬送車の袋体は、上記重機により上記切断刃付アタッチメントにて把持して上記格子エリアに搬送可能に構成され、上記格子エリア上に移送された上記袋体は上記切断刃付アタッチメントの上記切断刃により破袋され、内容物は上記格子エリアから上記一層部分の上記ベルトコンベア装置に落下し得るように構成され、上記使用済の袋体は上記重機により上記切断刃付アタッチメントにて把持して上記収集部に移送し得るように構成された袋体の解体システムにより構成される。
【００１３】
このように構成すると、例えば除染後の土壌等を収納した大量のフレキシブルコンテナバッグの解体作業を、建屋内にで効率的に行うことができるし、かかる袋体の解体システムを横方向に連続して設け、同時に袋体の解体作業を行うことで、大量の袋体の解体作業を迅速に行うことができる。
【００１４】
第４に、上記第１又は２記載の切断刃付アタッチメントを使用した袋体の解体方法であって、少なくとも下層部分と上層部分からなる建屋が設けられ、上記上層部分に袋体の搬送車の停車位置と、上記上層部分の床面の一部に上記下層部分に貫通する格子エリアと、破袋された使用済袋の収集部とが設けられ、上記格子エリアに対応する上記下層部分には該格子エリアを通過して落下してくる内容物を受け止めて、所定箇所に搬送するベルトコンベア装置が配置され、上記上層部分に上記切断刃付アタッチメントをブームの先端に装着した移動可能な重機を配置し、上記停車位置に停車した上記搬送車の袋体を、上記重機により上記切断刃付アタッチメントにて把持して上記格子エリア上に搬送し、上記格子エリア上に移送した上記袋体は上記切断刃付アタッチメントの上記切断刃により破袋して、内容物を上記格子エリアから上記一層部分の上記ベルトコンベア装置に落下させ、上記格子エリア上の使用済の袋体は上記重機により上記切断刃付アタッチメントにて把持して上記収集部に移送するようにした袋体の解体方法により構成される。
【発明の効果】
【００１５】
本発明によれば、ブーム先端の把持用アームによりトラック等の荷台の袋体を把持して所定位置に移送することができ、さらに、上記切断刃にて上記コンテナを破袋することができ、また、内容物を出して空になったフレキシブルコンテナバッグを把時用アームにて把持して所定場所に移送することができる。このように、単一の切断刃付アタッチメントにより、袋体の移送、破袋、空の袋体の移送の各作業を効率的に行うことができる。
【００１６】
また、切断刃を加熱することにより、例えば樹脂製の袋体の外皮を切断刃の熱により溶かしながら破袋することができ、より円滑に袋体の破袋作業を行うことができる。
【００１７】
また、例えば除染後の土壌等を収納した大量のフレキシブルコンテナバッグの解体作業を、建屋内にで効率的に行うことができるし、かかる袋体の解体システムを横方向に連続して設け、同時に袋体の解体作業を行うことで、大量の袋体の解体作業を迅速に行うことができる。
【図面の簡単な説明】
【００１８】
【図１】本発明に係る袋体の解体システムにおける建屋の横断面図である。
【図２】同上システムの建屋の横断面図である。
【図３】同上システムに使用するトラックの側面図である。
【図４】（ａ）は同上システムに使用する切断刃付アタッチメントの斜視図、（ｂ）は同上アタッチメントで袋体を解体する際の格子エリアの平面図、（ｃ）は同上アタッチメントで袋体を解体し内容物を搬送する際の格子エリアの平面図である。
【図５】同上システムで空の袋体を移送する際の建屋の横断面図である。
【図６】（ａ）は切断刃の横断面図、（ｂ）は切断刃の通電構成を示す回路図である。
【発明を実施するための形態】
【００１９】
以下、本発明に係る切断刃付アタッチメント及び袋体の解体装置、解体方法について詳細に説明する。
【００２０】
図４（ａ）、図１に示すように、クローラ３にて移動可能な重機４のブーム１の先端の
着脱部１ａに着脱可能に切断刃付アタッチメント２が接続されている。
【００２１】
この切断刃付アタッチメント２は、上記ブーム１の先端に着脱可能な着脱部２ａを有する本体２’と、上記本体２’に設けられ、支軸５を中心として閉鎖方向（矢印ａ方向）及び開放方向（矢印ｂ方向）に回動可能に設けられ、閉鎖時に先端部が近接状態又は閉鎖状態となり、被把持部材（本実施形態の場合は、袋体としてのフレキシブルコンテナバッグ６）を把持可能な一対の把持用アーム２ｂ，２ｂ’とを有している。
【００２２】
さらに、上記一対の把持用アーム２，２ｂ’の各々の外側面の中央部に、各把持用アーム２ｂ、２ｂ’の先端部２ｃ，２ｃ’から上記着脱部２ａの方向に向かって、直線状の切断刃７，７’が設けられている。
【００２３】
この切断刃７，７’は、図６（ａ）に示すように、その上縁に全長に亘り鋭角な刃部７ａが形成されており、図４（ｂ）（ｃ）に示すように、上記把持用アーム２ｂ，２ｂ’を閉鎖した状態でフレキシブルコンテナバッグ６に突き刺して同コンテナ６内に挿入し、その後、把持用アーム２ｂ、２ｂ’を開くことで、上記フレキシブルコンテナバッグ６を破袋するためのものである。
【００２４】
この切断刃７，７’はステンレス製であり、図６（ｂ）に示すように、上記切断刃７，７’の両端部に電源１５を、上記切断刃７，７’に電極１７，１７を介して接続線１６により接続し、上記電源１５から上記電極１７，１７’を介して、上記切断刃７，７’に通電することにより、両切断刃７，７’を約２００℃に高温化し得る、所謂、電気ナイフとすることが好ましい。このように構成すると、上記フレキシブルコンテナバッグ６は樹脂製であるので、破袋する際、樹脂製の素材を溶かしながら破ることができ、より円滑に破袋することができる。
【００２５】
また、この切断刃付アタッチメント２は、図４（ａ）に示すように、上記着脱部２ａには本体２’を矢印ｃ方向に回転させるための回転機構を具備しており、上記ブーム１に対して本体１を矢印ｃ方向に任意の角度に回転し得るように構成されている。さらに、この切断刃付アタッチメント２を上記ブーム１に接続した状態においては、上記アタッチメントの駆動機構と上記重機４及び上記ブーム１内の図示しない駆動機構及び操作部とが接続され、上記アタッチメント２の上記把持用アーム２ｂ，２ｂ’の開閉、上記本体２’の回転は、全て上記重機４の操作部にて行うことができるように構成されている。また、上記切断刃７，７’の通電機能を有する場合は、通電のオンオフも上記操作部にて行うことができるように構成する。
【００２６】
次に、上記切断刃付アタッチメント２を使用した袋体の解体システムを説明する。
【００２７】
図１に示す符号８は建屋の２層部分の横断面図であり、この建屋８は、少なくとも下層部分８ａ（２階建の場合は、１階部分）と上層部分８ｂ（２階建の場合は２階部分）からなり、上記上層部分８ｂに袋体の搬送車９（以下トラック９という）の停車位置１０と、上記上層部分８ｂの床面８ｂ’の一部に上記下層部分８ａに貫通する格子エリア１１と、破袋された使用済の袋体６’の収集部１２とが設けられている。また、この建屋８の一面側は壁面が開口され、地上からスロープ１２につながる入口８ｃとなっている。
【００２８】
上記トラック９は（図３参照）、荷台に内容物として除染後の廃棄物等を収納した複数のフレキシブルコンテナバッグ６を積んでおり、地上から上記スロープ１２を通って上記入口８ｃから上記上層部分８ｂの上記停車位置１０に停車する。
【００２９】
上記格子エリア１１は、上記停車位置１０に隣接して設けられており、上記床面８ｂ’を長方形状に開口し、その開口に、金属製の格子１１ａを嵌め込んだものであり、該格子１１ａの目の大きさは、廃棄物（内容物）の種類によって任意に設定可能である。例えば、除染土壌等であって、瓦礫等の異物を含み、土壌と異物とを分離する必要がある場合は、分離すべき大きさの異物より小さい格子とすれば良い。
【００３０】
上記格子エリア１１に対応する上記下層部分８ａには該格子エリア１１を通過して落下してくる廃棄物（内容物）を受け止めて、所定箇所に搬送するベルトコンベア装置１３が配置されている。
【００３１】
そして、上記上層部分８ｂに上記切断刃付アタッチメント２をブーム１の先端に装着し、クローラ３にて移動可能な重機４が配置されている。この重機４は、上記停車位置１０と上記格子エリア１１の間に位置し、上記切断刃付アタッチメント２によって上記トラック９の荷台のフレキシブルコンテナバッグ６を把持して上記ブーム１を矢印ｄ方向に回動し、上記フレキシブルコンテナバッグ６を上記格子エリア１１の格子１１ａ上に移送するものである。
【００３２】
さらに、上記格子エリア１１上に移送された上記フレキシブルコンテナバッグ６は上記切断刃アタッチメント２の上記切断刃７，７’により破袋され、廃棄物（内容物）は上記格子エリア１１の格子１１ａから上記一層部分８ａの上記ベルトコンベア装置１３のコンベアベルト１３ａ上に落下し得るように構成されている。
【００３３】
上記上層部分８ｂの上記格子エリア１１から、上記ブーム１をさらに矢印ｄ方向に回動した方向における上記格子エリア１１の隣接部には、破袋後の空となったフレキシブルコンテナバッグ６’（使用済の袋体）を収集する収集部１４が設けられている。よって、上記空のフレキシブルコンテナバッグ６’は、上記切断刃付アタッチメント２にて把持して、上記ブーム１をさらに矢印ｄ方向に回動することにより、上記収集部１４に移送し得るように構成されている。
【００３４】
次に、本発明に係る解体方法を説明する。
尚、重機４の切断刃７，７’には通電し、約２００℃に加熱しているとする。まず、廃棄物を収納した複数のフレキシブルコンテナバッグ６を積んだトラック９は、スロープ１２を通って建屋８の上層部分８ａに入り、停車位置１０に停車する。
【００３５】
次に、重機４の操作者はブーム１を操作して切断刃付アタッチメント２の把持用アーム２ｂ，２ｂ’によって上記フレキシブルコンテナバッグ６を把持し、ブーム１を矢印ｄ方向に回動して、上記コンテナ６を格子エリア１１に横向きに載置する（図２参照）。
【００３６】
その後、操作者は切断刃付アタッチメント２の把持用アーム２ｂ，２ｂ’を閉じ、上記コンテナ６内にその先端を突き刺す（図４（ｂ）参照）。すると、上記把持用アーム２ｂ、２ｂ’の切断刃７，７’は上記フレキシブルコンテナバッグ６の樹脂製の表皮を焼き切るので、上記アタッチメント２を容易にフレキシブルコンテナバッグ６の内部に突き刺すことができる。
【００３７】
その後、操作者は上記把持用アーム２ｂ，２ｂ’を開くことにより、図４（ｃ）に示すように、フレキシブルコンテナバッグ６を大きく破袋することができ、該コンテナバッグ６の内容物Ｍ（廃棄物Ｍ）は、格子１１ａを介して下方に落下し、下層部分８ａのコンベアベルト１３ａ上に落下する。上記コンベアベルト１３ａは矢印ｅ方向に走行しているので、上記廃棄物を所定位置まで搬送することができる。
【００３８】
その後、操作者は空になったフレキシブルコンテナバッグ６を上記把持用アーム２ｂ，２ｂ’にて再び把持し、ブーム１を上下に動かして振動させることで完全に内容物を落下させた後、ブーム１をさらに同方向（矢印ｄ方向）に回動して（図５参照）、上記空のフレキシブルコンテナバッグ６を収集部１４に移送する。
【００３９】
以上の方法により、１個のフレキシブルコンテナバッグ６を解体することができる。その後は、同様の方法の繰り返しにより、連続してフレキシブルコンテナバッグ６の解体作業を迅速に行うことができる。
【００４０】
上記の袋体の解体装置を、例えば大きな建屋内に横方向に複数機設けることにより、例えば１分間にフレキシブルコンテナバッグの３２体を解体することも可能である。
【００４１】
本発明によれば、ブーム１の先端の把持用アーム２ｂ，２ｂ’によりトラック等の荷台の袋体を把持して所定位置に移送することができ、さらに、上記切断刃７，７’にて上記コンテナを破袋することができ、また、内容物を出して空になったフレキシブルコンテナバッグを把時用アーム２ｂ，２ｂ’にて把持して所定場所（収集部１４）に移送することができる。このように、単一の切断刃付アタッチメント２により、袋体の移送、破袋、空の袋体の移送の各作業を効率的に行うことができる。
【００４２】
また、切断刃７，７’を加熱することにより、例えば樹脂製の袋体の外皮を切断刃の熱により溶かしながら破袋することができ、より円滑に袋体の破袋作業を行うことができる。
【００４３】
また、例えば除染後の土壌等を収納した大量のフレキシブルコンテナバッグの解体作業を、建屋８内にで効率的に行うことができるし、かかる袋体の解体システムを横方向に連続して設け、同時に袋体の解体作業を行うことで、大量の袋体の解体作業を迅速に行うことができる。
【産業上の利用可能性】
【００４４】
本発明は、比較的簡易な設備にて複数のフレキシブルコンテナバッグを迅速に解体することができ、例えば放射性物質の除染後の大量の袋体の解体作業等に好適に使用することができるものである。
【符号の説明】
【００４５】
１            ブーム
２            切断刃付アタッチメント
２’          本体
２ｂ，２ｂ’  把持用アーム
４            重機
５            支軸
７，７’      切断刃
８            建屋
８ａ          下層部分
８ｂ          上層部分
８ｂ’        床面
９            トラック
１０          停車位置
１１          格子エリア
１３          ベルトコンベア装置
１４          収集部
【図１】
2017121963.tif 000003
【図２】
2017121963.tif 000004
【図３】
2017121963.tif 000005
【図４】
2017121963.tif 000006
【図５】
2017121963.tif 000007
【図６】
2017121963.tif 000008